(57)【要約】【課題】扉部材開放検出スイッチへの不正操作を低減できる遊技機を提供する。【解決手段】不正行為者が外枠と遊技機本体部との隙間に不正具をさし入れたとしても、扉開放検出スイッチ６３０のスイッチ部６３１の周囲箇所に設けられた侵入阻止部材６３２によって不正具のスイッチ部６３１への侵入を低減でき、不正具でスイッチ部６３１が不正に押下されることを低減でき、スイッチ部６３１を不正具で押下したままで遊技機本体部を開放することを困難にできる。そして、スイッチ部６３１が押下されていない状態で遊技機本体部を開放すると、遊技機本体部の開放がホールコンピュータに知らされ、ホールコンピュータでは当該遊技機１の遊技機本体部の開放が報知される。その結果、扉開放検出スイッチ６３０への不正操作を低減できる遊技機を提供することができる。【選択図】図１７
2014193277.tif 000002
【特許請求の範囲】
【請求項１】
本体枠と、この本体枠の前面側に設けられて当該本体枠に対して開閉可能に支持される扉部材と、を備えた遊技機において、
前記扉部材の開放を検出する扉部材開放検出スイッチを備え、
前記扉部材開放検出スイッチは、前記扉部材を閉じた状態で前記本体枠または前記扉部材で押下されるスイッチ部を備え、前記スイッチ部が押下されることで前記扉部材の閉鎖を検出し、前記スイッチ部の押下が解除されることで前記扉部材の開放を検出するものであり、
前記扉部材開放検出スイッチをそのスイッチ部の押下方向視した状態で当該スイッチ部の押下方向周り箇所に侵入阻止手段
を備えていることを特徴とする遊技機。
【発明の詳細な説明】
【技術分野】
【０００１】
この発明は、遊技球を使用するパチンコ機、メダルまたは遊技球使用の回胴遊技機などの各種の遊技機に関する。
【背景技術】
【０００２】
従来、遊技機の代表例として例えばパチンコ機がある。このパチンコ機は、例えば、当該パチンコ機の外殻を形成し遊技場（ホール）の遊技島に固定される外枠と、この外枠の正面視での左端側を開閉軸として当該外枠に対して開閉可能に支持される内枠と、この内枠の略中央に形成された開口に遊技領域が位置するように当該内枠に取り付けられる遊技盤と、内枠の正面視での左端側を開閉軸として当該内枠に対して開閉可能に支持され、遊技領域を視認するための視認窓を有する前面扉とを備えている。
【０００３】
また、このパチンコ機は、前面扉の開放を検出する前面扉開放検出スイッチを備えている。前面扉が開放されて前面扉開放検出スイッチで前面扉の開放が検出されると、その検出信号が遊技場内に設置されたホールコンピュータに伝達され、このホールコンピュータのディスプレーに当該パチンコ機の前面扉が開放状態である旨の表示がなされたり、ランプが点灯、点滅されたり、あるいはブザーが鳴らされること等によって報知される（例えば、特許文献１参照）。
【先行技術文献】
【特許文献】
【０００４】
【特許文献１】特開２００６−４３２０２号公報（第７−１１頁，第７−９図）
【発明の概要】
【発明が解決しようとする課題】
【０００５】
しかしながら、このような構成を有する従来例の場合には、次のような問題がある。
すなわち、従来のパチンコ機では、例えば、不正行為者は前面扉（扉部材）と外枠との隙間に不正具をさし入れて、この不正具で前面扉開放検出スイッチを押えた状態のままで前面扉を開放し、当該パチンコ機の内部等に素早く不正行為を施した後に前面扉を閉じ、さし入れていた不正具を引き抜いて前面扉開放検出スイッチの押えを解除するという不正が行われるおそれがある。この場合には、前面扉が開放されても不正具で前面扉開放検出スイッチが押えられたままとなっているので、ホールコンピュータには前面扉の開放を示す信号が伝達されないし、ホールコンピュータでは当該遊技機の前面扉の開放報知がされない。
【０００６】
本発明は、このような事情に鑑みてなされたものであって、扉部材開放検出スイッチへの不正操作を低減できる遊技機を提供することを目的とする。
【課題を解決するための手段】
【０００７】
この発明は、このような目的を達成するために、次のような構成をとる。
すなわち、請求項１に記載の発明は、
本体枠と、この本体枠の前面側に設けられて当該本体枠に対して開閉可能に支持される扉部材と、を備えた遊技機において、
前記扉部材の開放を検出する扉部材開放検出スイッチを備え、
前記扉部材開放検出スイッチは、前記扉部材を閉じた状態で前記本体枠または前記扉部材で押下されるスイッチ部を備え、前記スイッチ部が押下されることで前記扉部材の閉鎖を検出し、前記スイッチ部の押下が解除されることで前記扉部材の開放を検出するものであり、
前記扉部材開放検出スイッチをそのスイッチ部の押下方向視した状態で当該スイッチ部の押下方向周り箇所に侵入阻止手段
を備えていることを特徴とするものである。
【０００８】
［作用・効果］請求項１に記載の発明によれば、遊技機は、本体枠と、この本体枠の前面側に設けられて当該本体枠に対して開閉可能に支持される扉部材とを備えている。扉部材開放検出スイッチは、扉部材の開放を検出する。そして、この扉部材開放検出スイッチは、扉部材を閉じた状態で本体枠または扉部材で押下されるスイッチ部を備え、このスイッチ部が押下されることで扉部材の閉鎖を検出し、スイッチ部の押下が解除されることで扉部材の開放を検出するものである。さらに、扉部材開放検出スイッチをそのスイッチ部の押下方向視した状態で当該スイッチ部の周囲箇所に、侵入阻止手段が備えられている。
【０００９】
したがって、不正行為者が本体枠と扉部材との隙間に不正具をさし入れたとしても、扉部材開放検出スイッチのスイッチ部の周囲箇所に設けられた侵入阻止手段によって不正具のスイッチ部への侵入を低減でき、不正具でスイッチ部が不正に押下されることを低減でき、スイッチ部を不正具で押下したままで扉部材を開放することを困難にできる。そして、スイッチ部が押下されていない状態で扉部材を開放すると、扉部材の開放がホールコンピュータに知らされ、ホールコンピュータでは当該遊技機の扉部材の開放が報知される。
【００１０】
その結果、扉部材開放検出スイッチへの不正操作を低減できる遊技機を提供することができる。
【発明の効果】
【００１１】
この発明に係る遊技機によれば、不正行為者が本体枠と扉部材との隙間に不正具をさし入れたとしても、扉部材開放検出スイッチのスイッチ部の周囲箇所に設けられた侵入阻止手段によって不正具のスイッチ部への侵入を低減でき、不正具でスイッチ部が不正に押下されることを低減でき、スイッチ部を不正具で押下したままで扉部材を開放することを困難にできる。そして、スイッチ部が押下されていない状態で扉部材を開放すると、扉部材の開放がホールコンピュータに知らされ、ホールコンピュータでは当該遊技機の扉部材の開放が報知される。その結果、扉部材開放検出スイッチへの不正操作を低減できる遊技機を提供することができる。
【図面の簡単な説明】
【００１２】
【図１】本発明の一実施の形態における遊技機の全体を示す斜視図である。
【図２】遊技機の正面図である。
【図３】遊技機の内部開放状態を示す斜視図である。
【図４】遊技機の内部開放状態を示す斜視図である。
【図５】遊技機の背面図である。
【図６】（ａ）は遊技機本体部を背面側から見た図、（ｂ），（ｃ）はドアブロックに対する遊技盤ブロックと払出ブロックの開放動作状況を示す図である。
【図７】ドアブロックを前方から見た分解斜視図である。
【図８】ドアブロック４を後方から見た分解斜視図である。
【図９】ドアブロックを構成する前扉体と背面枠とを分離してそれらを前方から見た斜視図である。
【図１０】ドアブロックを構成する前扉体と背面枠とを分離してそれらを後方から見た斜視図である。
【図１１】受皿ブロックの斜視図である。
【図１２】遊技盤ブロックの後方斜視図である。
【図１３】遊技盤ブロックの分解斜視図である。
【図１４】前面枠体およびベース板とリール装置との斜視図である。
【図１５】払出ブロックの斜視図である。
【図１６】払出ブロックの背面図である。
【図１７】ドアブロックの左側面の上部箇所を示す部分斜視図である。
【図１８】侵入阻止部材の分解斜視図である。
【図１９】（ａ）は、ドアブロックの背面枠の裏面下部箇所を概ね裏面視した一部破断図であり、（ｂ）は、その（ａ）での投入球通路部分の一部破断図である。
【図２０】背面枠の投入球通路部分を示す一部破断斜視図である。
【図２１】背面枠の投入球通路の分解斜視図である。
【図２２】背面枠の下部箇所を示す一部裏面図である。
【図２３】図２２に示した背面枠のＡ−Ａ線断面図である。
【図２４】ドアブロックの背面枠の裏面右下部箇所を示す一部破断斜視図である。
【図２５】ドアブロック中継端子板ユニットの分解斜視図である。
【図２６】（ａ）は受皿ブロックの平面図であり、（ｂ）は受皿ブロックの底面図である。
【図２７】受皿ブロックの分解斜視図である。
【図２８】遊技主要ブロック５の正面側左上箇所のロック部材６２７を示す部分斜視図である。
【図２９】払出ブロックの分解斜視図である。
【図３０】（ａ）は、払出装置の開閉カバーを閉じた状態を示す一部斜視図であり、（ｂ）は、払出装置の開閉カバーを開いた状態を示す一部斜視図である。
【図３１】（ａ）は、サブ制御装置のケース台を閉じた状態を示す斜視図であり、（ｂ）は、サブ制御装置のケース台を開いた状態を示す斜視図である。
【発明を実施するための形態】
【００１３】
本明細書は、次のような遊技機に係る発明も開示している。
【００１４】
（１）  請求項１に記載の遊技機において、
前記扉部材は、その一辺側を開閉回動軸として前記本体枠に対して片開き自在となっており、前記一辺側に当たる側辺の所定箇所に前記扉部材開放検出スイッチを備え、
前記本体枠は、その内面の所定箇所が、前記扉部材が閉じた状態において前記扉部材開放検出スイッチの前記スイッチ部に当接することで当該スイッチ部を押下するようになっている
ことを特徴とする遊技機。
【００１５】
前記（１）に記載の発明によれば、扉部材は、その一辺側を開閉回動軸として本体枠に対して片開き自在となっており、当該一辺側に当たる側辺の所定箇所に扉部材開放検出スイッチを備えている。本体枠は、その内面の所定箇所が、扉部材が閉じた状態において扉部材開放検出スイッチのスイッチ部に当接することで当該スイッチ部を押下するようになっている。したがって、扉部材を閉じた状態において、扉部材の両辺のうちで開閉回動軸の存する側の側辺に設けられた扉部材開放検出スイッチのスイッチ部が本体枠の内面に当接することで当該スイッチ部が押下されるというタイプの遊技機においても、前述の請求項１と同様に扉部材開放検出スイッチへの不正操作を低減できる。
【００１６】
（２）  前記（１）に記載の遊技機において、
前記侵入阻止手段は、前記スイッチ部の方への侵入を阻む返し突起部を有する平板状の金属製部材を備えている
ことを特徴とする遊技機。
【００１７】
前記（２）に記載の発明によれば、侵入阻止手段は、前記スイッチ部の方への侵入を阻む返し突起部を有する平板状の金属製部材を備えているので、不正行為者が本体枠と扉部材との隙間に不正具をさし入れたとしても、扉部材開放検出スイッチのスイッチ部の周囲箇所に設けられた侵入阻止手段の返し突起部によって不正具のスイッチ部への侵入を低減でき、不正具でスイッチ部が不正に押下されることを低減でき、スイッチ部を不正具で押下したままで扉部材を開放することを困難にできる。
【００１８】
（３）  前記（２）に記載の遊技機において、
前記侵入阻止手段は、前記金属製部材の裏面側に平板状の弾性部材を備え、前記弾性部材の一方の面に前記金属製部材の裏面側が貼り付けられ、かつ、前記弾性部材の他方の面を前記扉部材の一辺側に当たる側辺で前記スイッチ部の押下方向周りの所定箇所に貼り付けられて構成されている
ことを特徴とする遊技機。
【００１９】
前記（３）に記載の発明によれば、侵入阻止手段は、金属製部材の裏面側に平板状の弾性部材を備え、この弾性部材の一方の面に金属製部材の裏面側が貼り付けられ、かつ、弾性部材の他方の面を扉部材の一辺側に当たる側辺でスイッチ部の押下方向周りの所定箇所に貼り付けられて構成されているので、侵入阻止手段への衝撃を弾性部材で吸収でき、運搬時等の侵入阻止手段の損傷を低減できる。
【００２０】
（４）  前記（３）に記載の遊技機において、
前記金属製部材は、その一部が、前記扉部材の一辺側に当たる側辺で前記扉部材開放検出スイッチと当該扉部材の前面側との間の箇所である第１箇所に位置するように設けられ、かつ、前記返し突起部のうちの少なくとも一つが前記第１箇所に位置するように設けられている
ことを特徴とする遊技機。
【００２１】
前記（４）に記載の発明によれば、金属製部材は、その一部が、扉部材の一辺側に当たる側辺で扉部材開放検出スイッチと当該扉部材の前面側との間の箇所である第１箇所に位置するように設けられ、かつ、返し突起部のうちの少なくとも一つが第１箇所に位置するように設けられているので、不正行為者が扉部材の前面から本体枠と扉部材との隙間に不正具をさし入れたとしても、侵入阻止手段の金属製部材での第１箇所の返し突起部によって不正具の扉部材開放検出スイッチへの侵入を低減でき、不正具でスイッチ部が不正に押下されることを低減でき、スイッチ部を不正具で押下したままで扉部材を開放することを困難にできる。
【００２２】
（５）  前記（４）に記載の遊技機において、
前記扉部材は、その裏面側で開閉自在な裏面側部材を当該開閉自在に軸支するための軸受部材を備え、
前記軸受部材は、前記裏面側部材に対して開閉自在に嵌合される一対の嵌合部と、この両嵌合部を繋ぐ板部とを備え、
さらに、前記軸受部材は、前記扉部材の一辺側に当たる側辺における前記スイッチ部の押下方向周り箇所のうちで前記扉部材開放検出スイッチと当該扉部材の裏面側との間の箇所である第２箇所に、前記板部が位置するように設けられており、
前記板部での前記扉部材の側辺側の所定箇所に平板状の弾性部材を備えている
ことを特徴とする遊技機。
【００２３】
前記（５）に記載の発明によれば、扉部材は、その裏面側で開閉自在な裏面側部材を当該開閉自在に軸支するための軸受部材を備えている。軸受部材は、裏面側部材に対して開閉自在に嵌合される一対の嵌合部と、この両嵌合部を繋ぐ板部とを備えている。さらに、軸受部材は、扉部材の一辺側に当たる側辺におけるスイッチ部の押下方向周り箇所のうちで扉部材開放検出スイッチと当該扉部材の裏面側との間の箇所である第２箇所に、板部が位置するように設けられている。また、板部での扉部材の側辺側の所定箇所に平板状の弾性部材を備えている。したがって、軸受部材への衝撃を弾性部材で吸収でき、運搬時等の軸受部材の損傷を低減できる。また、不正行為者が遊技機の裏面から不正具をさし入れたとしても、侵入阻止手段の軸受部材上の弾性部材によって不正具の扉部材開放検出スイッチへの侵入を低減でき、不正具でスイッチ部が不正に押下されることを低減でき、スイッチ部を不正具で押下したままで扉部材を開放することを困難にできる。
【００２４】
なお、本明細書は、次のような遊技機に係る発明も開示している。つまり、遊技媒体を案内する案内通路を複数本独立して有する案内通路部材への不正行為を低減できる遊技機に係る発明も開示している。
【００２５】
（６）  遊技媒体を使用する遊技機において、
遊技媒体を案内する案内通路を複数本独立して有する樹脂成型品である案内通路部材を備え、
前記複数本の案内通路間に金属製の介装部材を備えている
ことを特徴とする遊技機。
【００２６】
前記（６）に記載の発明によれば、遊技媒体を使用する遊技機は、遊技媒体を案内する案内通路を複数本独立して有する樹脂成型品である案内通路部材を備えており、この複数本の案内通路間に金属製の介装部材を備えているので、一の案内通路の所定箇所から他の案内通路に向けて不正な熱した部材を押し当てて溶かして不正な孔を開けることで一の案内通路と他の案内通路とを不正に連通しようとしても、それらの案内通路間の金属製の介装部材によって不正な孔を開けることを防止でき、案内通路同士を不正に連通する不正行為を防止できる。
【００２７】
（７）  前記（６）に記載の遊技機において、
前記案内通路部材は、当該遊技機側に遊技媒体を回収する回収用案内通路と、前記回収用案内通路下に設けられた、遊技者側に遊技媒体を返却する返却用案内通路とを備え、
前記介装部材は、前記回収用案内通路と前記返却用案内通路との間に設けられている
ことを特徴とする遊技機。
【００２８】
前記（７）に記載の発明によれば、案内通路部材は、遊技機側に遊技媒体を回収する回収用案内通路と、この回収用案内通路下に設けられた、遊技者側に遊技媒体を返却する返却用案内通路とを備えている。介装部材は、回収用案内通路と返却用案内通路との間に設けられている。したがって、回収用案内通路の所定箇所から返却用案内通路に向けて不正な熱した部材を押し当てて溶かして不正な孔を開けることで回収用案内通路と返却用案内通路とを不正に連通し、本来回収されるべき遊技媒体を不正に返却させようとしても、回収用案内通路と返却用案内通路との間の金属製の介装部材によって不正な孔を開けることを防止でき、回収用案内通路から返却用案内通路への不正な連通孔を通して不正に遊技媒体の返却を受けるという不正行為を防止できる。
【００２９】
（８）  前記（７）に記載の遊技機において、
前記介装部材は、平面板部とこの平面板部の両端を同一方向に折り曲げた両折り曲げ片とを備えた側面視でコの字形状のものであり、その両折り曲げ片を、前記返却用案内通路の方に向け、かつ、前記返却用案内通路内で当該案内方向に沿うようにするとともに、前記折り曲げ片の長さを遊技媒体よりも大きくしたものである
ことを特徴とする遊技機。
【００３０】
前記（８）に記載の発明によれば、介装部材は、平面板部とこの平面板部の両端を同一方向に折り曲げた両折り曲げ片とを備えた側面視でコの字形状のものであり、その両折り曲げ片を、返却用案内通路の方に向け、かつ、返却用案内通路内で当該案内方向に沿うようにするとともに、折り曲げ片の長さを遊技媒体よりも大きくしたものである。したがって、介装部材をその両折り曲げ片を返却用案内通路に向けて置くだけで、回収用案内通路と返却用案内通路とを仕切ることができ、当然に介装部材の平面板部と返却用案内通路との間を回収用の遊技媒体が通過できる。
【００３１】
（９）  前記（７）または（８）に記載の遊技機において、
本体枠と、この本体枠の前面側に設けられて当該本体枠に対して開閉可能に支持される扉部材と、この扉部材の裏面側で当該扉部材に対して開閉可能に支持される裏面側部材とを備え、
前記案内通路部材は、前記扉部材の裏面側に設けられ、前記裏面側部材を前記扉部材に対して閉じた状態において当該裏面側部材の一部の下面箇所が載置される被載置部と、前記裏面側部材を閉じる際に当該裏面側部材の前記下面箇所を前記被載置部に案内する傾斜案内片とを備えている
ことを特徴とする遊技機。
【００３２】
前記（９）に記載の発明によれば、本体枠と、この本体枠の前面側に設けられて当該本体枠に対して開閉可能に支持される扉部材と、この扉部材の裏面側で当該扉部材に対して開閉可能に支持される裏面側部材とを備えている。案内通路部材は、扉部材の裏面側に設けられ、裏面側部材を扉部材に対して閉じた状態において当該裏面側部材の一部の下面箇所が載置される被載置部と、裏面側部材を閉じる際に当該裏面側部材の下面箇所を被載置部に案内する傾斜案内片とを備えている。したがって、裏面側部材を閉じる際に案内通路部材の傾斜案内片によって裏面側部材の下面箇所が案内通路部材の被載置部に案内されて、この裏面側部材を閉じることができ、裏面側部材を無理なく閉じることができる。
【００３３】
（１０）  前記（９）に記載の遊技機において、
前記案内通路部材は、前記回収用案内通路の下流側でその上方箇所に、閉状態の前記裏面側部材に対向する方向に開口した開口部を備え、前記開口部の開口面は平面状としている
ことを特徴とする遊技機。
【００３４】
前記（１０）に記載の発明によれば、案内通路部材は、回収用案内通路の下流側でその上方箇所に、閉状態の前記裏面側部材に対向する方向に開口した開口部を備え、この開口部の開口面は平面状としているので、開口部の側面箇所には不正行為に用いられるまたはその可能性のある隙間などを排除している。つまり、開口部の側面箇所の一部が切り欠かれた切欠部を排除しているので、不正行為を抑止する隙間対策になる。
【００３５】
なお、本明細書は、次のような遊技機に係る発明も開示している。つまり、遊技に関する所定の制御を行う制御基板の裏面側に不正な制御基板などを仕込むことによる不正行為を低減できる遊技機に係る発明も開示している。
【００３６】
（１１）  遊技に関する所定の制御を行う制御基板と、前記制御基板が装着される被装着体とを備えた遊技機において、
前記被装着体は、前記制御基板が装着される装着面の所定箇所に、前記装着面から当該装着された前記制御基板に向かって突出したリブを備えている
ことを特徴とする遊技機。
【００３７】
前記（１１）に記載の発明によれば、遊技に関する所定の制御を行う制御基板と、この制御基板が装着される被装着体とを備え、この被装着体は、制御基板が装着される装着面の所定箇所に、その装着面から当該装着された制御基板に向かって突出したリブを備えているので、被装着体と、その被装着体に装着された制御基板との間に、不正な制御基板などが仕込まれるようなスペースを低減することができ、制御基板の裏面側に不正な制御基板などを仕込むという不正行為を低減できる。
【００３８】
（１２）  前記（１１）に記載の遊技機において、
本体枠と、この本体枠の前面側に設けられて当該本体枠に対して開閉可能に支持される扉部材とを備え、
前記被装着体は、前記扉部材の裏面側に装着され、その装着状態においての所定箇所が、配線を束ねる結束部材の係止爪を前記扉部材の係止穴に係止させることで当該扉部材に取り付けられており、
前記結束部材を前記扉部材から取り外す際には、前記係止爪が破壊される
ことを特徴とする遊技機。
【００３９】
前記（１２）に記載の発明によれば、本体枠と、この本体枠の前面側に設けられて当該本体枠に対して開閉可能に支持される扉部材とを備えている。被装着体は、扉部材の裏面側に装着され、その装着状態においての所定箇所が、配線を束ねる結束部材の係止爪を扉部材の係止穴に係止させることで当該扉部材に取り付けられている。また、結束部材を扉部材から取り外す際には、係止爪が破壊される。したがって、被装着体を扉部材から取り外してこの被装着体の裏面側に不正物を仕込んだとしても、結束部材が破壊されているので、再使用することができず、不正物を仕込んだ被装着体を扉部材に再装着することができ、不正行為を低減できる。
【００４０】
なお、本明細書は、次のような遊技機に係る発明も開示している。つまり、払い出された遊技球を貯留しその遊技球を投入装置へ案内する上皿本体の裏面側に不正な制御基板などを仕込むことによる不正行為を低減できる遊技機に係る発明も開示している。
【００４１】
（１３）  払い出された遊技球を貯留しその遊技球を投入装置へ案内する上皿本体を備えた遊技機において、
前記上皿本体は、その裏面側に装着され、所定の配線を収容する収容体を備え、
前記収容体は、前記上皿本体が装着される装着面の所定箇所に、前記装着面から当該装着された前記上皿本体に向かって突出したリブを備えている
ことを特徴とする遊技機。
【００４２】
前記（１３）に記載の発明によれば、払い出された遊技球を貯留しその遊技球を投入装置へ案内する上皿本体を備え、この上皿本体は、その裏面側に装着され、所定の配線を収容する収容体を備え、この収容体は、上皿本体が装着される装着面の所定箇所に、装着面から当該装着された上皿本体に向かって突出したリブを備えているので、収容体と、その収容体に装着された上皿本体との間に、不正な制御基板などが仕込まれるようなスペースを低減することができ、上皿本体の裏面側に不正な制御基板などを仕込むという不正行為を低減できる。
【００４３】
（１４）  前記（１３）に記載の遊技機において、
前記収容体は、その底面に近い側に前記配線を通す案内樋を備えている
ことを特徴とする遊技機。
【００４４】
前記（１４）に記載の発明によれば、収容体は、その底面に近い側に配線を通す案内樋を備えている。つまり、上皿本体から離れた位置に案内樋を備えているので、上皿本体の上面側を流下する遊技球からのノイズの影響を低減できる。
【００４５】
なお、本明細書は、次のような遊技機に係る発明も開示している。つまり、扉部材の裏面側に裏面側部材を閉状態に固定する固定具の固定精度を向上できる遊技機に係る発明も開示している。
【００４６】
（１５）  本体枠と、この本体枠の前面側に設けられて当該本体枠に対して開閉可能に支持される扉部材と、この扉部材の裏面側で当該扉部材に対して開閉可能に支持される裏面側部材とを備えた遊技機において、
前記扉部材は、鉤部を有する鉤金具を備え、
前記裏面側部材は、前記扉部材の裏面側に前記裏面側部材を閉状態に固定するロック部材を備え、
前記ロック部材は、操作を受けることでロック位置と非ロック位置とに変更される操作部と、前記操作部の位置変更に伴って進退する係止部とを備え、前記操作部を非ロック位置にすることで前記係止部が前記鉤部から外れた後退位置に位置し、前記係止部の前記鉤部への係止が解除され、前記操作部をロック位置にすることで前記係止部が前記鉤部に入った進出位置に位置し、前記係止部の前記鉤部への係止がなされ、
前記鉤金具は、その先端側で前記裏面側部材に向かう方向に延出した延出部を備えている
ことを特徴とする遊技機。
【００４７】
前記（１５）に記載の発明によれば、裏面側部材を扉部材に対して閉じる際には、ロック部材の操作部を非ロック位置にしてからこの裏面側部材を閉じる。そして、ロック部材の操作部をロック位置にして当該ロック部材の係止部を鉤部に入れて、係止部の鉤部への係止、つまり、ロック部材による裏面側部材の固定がなされる。仮に、ロック部材の操作部をロック位置としたままで裏面側部材を閉じようとした場合には、鉤金具の先端側の延出部がロック部材の係止部に当たり、裏面側部材がそれ以上閉まらないことから、ロック部材によるロックがされていない状態で裏面側部材が閉状態となることがない。つまり、扉部材の裏面側に裏面側部材を閉状態に固定する固定具の固定精度を向上できる。
【００４８】
なお、本明細書は、次のような遊技機に係る発明も開示している。つまり、払出装置の球抜きレバーが誤って球抜き許可位置になることを防止できる遊技機に係る発明も開示している。
【００４９】
（１６）  本体枠と、この本体枠の前面側に設けられて当該本体枠に対して開閉可能に支持される扉部材と、この扉部材の裏面側で当該扉部材に対して開閉可能に支持される裏面側部材とを備えた遊技機において、
前記裏面側部材は、前記扉部材と対向する面とは反対側である裏面側に、所定の払出信号に基づいて所定数の遊技球を払い出す払出装置を備え、
前記払出装置は、その所定面に球抜きレバーを備え、前記球抜きレバーを球抜き許可位置にすることで当該払出装置から強制的に遊技球が球抜きされ、前記球抜きレバーを球抜き不許可位置にすることで当該払出装置による強制的な遊技球の球抜きが禁止され、
さらに、前記払出装置は、前記球抜きレバーを少なくとも覆う開閉可能な開閉カバーを備えている
ことを特徴とする遊技機。
【００５０】
前記（１６）に記載の発明によれば、裏面側部材は、扉部材と対向する面とは反対側である裏面側に、所定の払出信号に基づいて所定数の遊技球を払い出す払出装置を備えている。払出装置は、その所定面に球抜きレバーを備え、球抜きレバーを球抜き許可位置にすることで当該払出装置から強制的に遊技球が球抜きされ、球抜きレバーを球抜き不許可位置にすることで当該払出装置による強制的な遊技球の球抜きが禁止される。さらに、払出装置は、球抜きレバーを少なくとも覆う開閉可能な開閉カバーを備えているので、何らかの部材が球抜きレバーに引っ掛って誤って操作されることを防止でき、球抜きレバーを固定できる。
【００５１】
（１７）  前記（１６）に記載の遊技機において、
前記開閉カバーは、その閉状態において前記球抜きレバーを球抜き不許可位置に固定するための固定窓を備えている
ことを特徴とする遊技機。
【００５２】
前記（１７）に記載の発明によれば、開閉カバーは、その閉状態において球抜きレバーを球抜き不許可位置に固定するための固定窓を備えているので、開閉カバーで球抜きレバーを覆った状態のままでは球抜きレバーを球抜き不許可位置に固定でき、開閉カバーを開状態にしなければ球抜きレバーを球抜き許可位置にできないことから、何らかの部材が球抜きレバーに引っ掛って球抜き許可位置となることを防止できる。
【００５３】
なお、本明細書は、次のような遊技機に係る発明も開示している。つまり、遊技に関する所定の制御を行う制御基板を被包した収納ケースの裏面側に不正な制御基板などを仕込むことによる不正行為を低減できる遊技機に係る発明も開示している。
【００５４】
（１８）  遊技に関する所定の制御を行う制御基板を被包した収納ケースと、前記収納ケースが取り付けられる被取付部材とを備えた遊技機において、
前記収納ケースは、前記被取付部材に対して片開き自在に軸支されている
ことを特徴とする遊技機。
【００５５】
前記（１８）に記載の発明によれば、遊技に関する所定の制御を行う制御基板を被包した収納ケースと、この収納ケースが取り付けられる被取付部材とを備え、収納ケースは、被取付部材に対して片開き自在に軸支されているので、収納ケースを片開きしてその裏面側あるいは被取付部材を目視確認でき、収納ケースと被取付部材との間に、不正な制御基板などが仕込まれることを低減でき、収納ケースの裏面側に不正な制御基板などを仕込むという不正行為を低減できる。
【００５６】
（１９）  請求項１に記載の遊技機、または、前記（１）から（５）のいずれか一つに記載の遊技機において、
前記遊技機はパチンコ機であることを特徴とする遊技機。
【００５７】
前記（１９）に記載の遊技機によれば、扉部材開放検出スイッチへの不正操作を低減できるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００５８】
（２０）  請求項１に記載の遊技機、または、前記（１）から（５）のいずれか一つに記載の遊技機において、
前記遊技機はスロットマシンであることを特徴とする遊技機。
【００５９】
前記（２０）に記載の遊技機によれば、扉部材開放検出スイッチへの不正操作を低減できるスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【００６０】
（２１）  請求項１に記載の遊技機、または、前記（１）から（５）のいずれか一つに記載の遊技機において、
前記遊技機はパチンコ機とスロットマシンとを融合させたものであることを特徴とする遊技機。
【００６１】
前記（２１）に記載の遊技機によれば、扉部材開放検出スイッチへの不正操作を低減できる、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【００６２】
（２２）  請求項１に記載の遊技機、または、前記（１）から（５）のいずれか一つに記載の遊技機において、
前記遊技機は、遊技者による始動操作に基づいて、複数の図柄を外周面に付した回転体の回転を開始させることで図柄の可変表示を開始し、前記回転体の回転停止時の図柄表示態様が所定の表示態様である場合に遊技球の払い出しが行われることを特徴とする遊技球使用の回胴遊技機。
【００６３】
前記（２２）に記載の遊技機によれば、扉部材開放検出スイッチへの不正操作を低減できる、遊技球使用の回胴遊技機を提供できる。
【００６４】
以下に、本発明の遊技機（例えば、遊技球を遊技媒体として用いて遊技を行う、遊技球使用回胴遊技機）の実施の形態を、図面に基づいて詳細に説明する。
【００６５】
実施例の遊技機を、図面に基づいて詳細に説明する。実施例の遊技機１は、遊技に際して所定数の遊技媒体（遊技価値）としての遊技球（例えばパチンコ機と同様の遊技球：パチンコ球）の取込を必要とし、所定条件が成立した場合には複数の遊技球、場合によっては大量の遊技球が払い出されるよう構成されている遊技球使用の回胴遊技機である。本遊技機１には、遊技ホール等においてパチンコ機と共通の遊技球供給システムから遊技球の供給がなされるようになっており、パチンコ機が設置される既存の島設備（パチンコ島）に本遊技機を設置することが可能となっている。つまり、上記のパチンコ機用の島設備を特段に変更することなく、当該島設備に設置されていたパチンコ機に替えて、本遊技機１（遊技球使用の回胴遊技機）を設置することができる。
【００６６】
まず、遊技機１の外観構成及び内部構造の概略を説明する。ここで、図１は遊技機１の全体を示す斜視図、図２は遊技機１の正面図、図３は及び図４は遊技機１の内部開放状態を示す斜視図、図５は遊技機１の背面図である。なお以下の説明においては、特に注記しない限りは、遊技機１の正面から見た状態を基準として左右上下などの方向を記載することとする。
【００６７】
遊技機１は、図１，３に示すように、本体枠としての外枠２と、この外枠２に対して前方に片開き可能に取り付けられた遊技機本体部３とを有する。
【００６８】
外枠２は、図１〜３に示すように、木製の板材を四辺に連結し構成されるものであって、全体として矩形状をなしている。本遊技機１を遊技ホールに設置する際には、外枠２が島設備に取り付け固定される。なお、外枠２を合成樹脂やアルミニウム等の金属によって構成することも可能である。図３等では隠れて図示されていないが、外枠２を構成する四辺の板材のうち右辺の板材には、その内側上下２箇所に、後述するドアブロック４に設けた施錠装置１２０（鉤金具１２３等を備える）を係止するための鉤受け部２ａ（図３参照）が設けられている。
【００６９】
遊技機本体部３は、図４に示すように、扉体ユニットであるドアブロック４と、このドアブロック４の背面側に設けられた遊技主要ブロック５とに大別される。以下に、ドアブロック４と遊技主要ブロック５とをその順に説明する。
【００７０】
図４に示すように、ドアブロック４には上下２箇所にヒンジ金具８が設けられており、このヒンジ金具８と外枠２側の上下２箇所の支持金具９とにより、ドアブロック４（遊技機本体部３）が外枠２に対して開閉可能に支持されている。この場合、遊技機１を正面から見て左側に開閉軸線が設けられる構成となっており、遊技機本体部３は正面から見て右側を開閉先端部として開放される。外枠２に対して遊技機本体部３が閉じた状態では、ドアブロック４の外周縁部の背面が外枠２の前面に当接するようになっている。
【００７１】
また、図４に示すように、ドアブロック４は、その背面側下部に、球受皿ユニットである受皿ブロック１０が着脱可能に取り付けられている。
【００７２】
続いて、遊技主要ブロック５について説明する。この遊技主要ブロック５は、図４に示すように、絵柄表示ユニットである遊技盤ブロック６と、遊技球の払出ユニットである払出ブロック７とから構成されている。
【００７３】
具体的には、遊技盤ブロック６は、図４に示すように、ドアブロック４の背面側において受皿ブロック１０の上方で片開き自在に取り付けられ、更に遊技盤ブロック６の背面側を覆うようにして払出ブロック７が取り付けられている。この遊技盤ブロック６と払出ブロック７とは、ドアブロック４の一端側（背面視で右端側）を開閉軸としてそれぞれ片開き自在に支持されている。つまり、遊技主要ブロック５（遊技盤ブロック６と払出ブロック７とからなる）は、外枠２に対してドアブロック４と一体で片開き自在となるとともに、ドアブロック４に対して遊技盤ブロック６と払出ブロック７とが各々個別に片開き自在となる構造を有する。
【００７４】
また、図３，図５に示すように、払出ブロック７は、その背面側下部に、払出制御装置１５７と電源装置１５６とが当該背面視で左から順に横並びに取り付けられている。
【００７５】
詳しくは、電源装置１５６は、電源基板（図示省略）と、この電源基板を収容する基板ボックス１５６ａとを備えている。この基板ボックス１５６ａは、例えば合成樹脂材料にて成形されており、特に内部（電源基板）を視認可能とすべく透明ボックスとされている。
【００７６】
また、払出制御装置１５７は、払出制御基板（図示省略）と、この払出制御基板を収容する基板ボックス１５７ａとを備えている。この基板ボックス１５７ａは、例えば合成樹脂材料にて成形されており、特に内部（払出制御基板）を視認可能とすべく透明ボックスとされている。
【００７７】
ここで、遊技機本体部３を構成する上記の各部材について相対的な位置関係と動作状態を簡単に説明する。図６は遊技機本体部３を模式的に示す図面であり、図６（ａ）は遊技機本体部３を背面側から見た図、図６（ｂ），（ｃ）はドアブロック４に対する遊技盤ブロック６と払出ブロック７の開放動作状況を示す図である。
【００７８】
図６（ａ）に示すように、ドアブロック４に対して遊技盤ブロック６や払出ブロック７を開放動作させるための軸線ＡＸ１は図の右側（正面から見ると左側）に設けられている。この軸線ＡＸ１は、遊技盤ブロック６を支持するための軸線と払出ブロック７を支持するための軸線とを兼ねるものとなっている。この場合、図示のＭ１，Ｍ２は遊技盤ブロック６を支持するための支持手段であり、Ｍ３，Ｍ４は払出ブロック７を支持するための支持手段である。つまり、遊技盤ブロック６用の支持手段Ｍ１，Ｍ２は同軸で上下一対に設けられている。また、払出ブロック７用の支持手段Ｍ３，Ｍ４は、支持手段Ｍ１，Ｍ２を挟むようにして同軸で上下一対に設けられており、更に支持手段Ｍ１，Ｍ２に対しても同軸となっている。
【００７９】
上記構成により、図６（ｂ），（ｃ）の各動作が可能となっている。図６（ｂ）では、ドアブロック４に対して遊技盤ブロック６と払出ブロック７とを一体的に開放動作させている。また、図６（ｃ）では、図６（ｂ）の状態から遊技盤ブロック６に対して払出ブロック７を開放動作させている。つまり、ドアブロック４に対して遊技盤ブロック６を閉じた状態では、払出ブロック７を遊技盤ブロック６に閉じた状態で止めているレバーにアクセスできないことから、ドアブロック４に対して遊技盤ブロック６を開いた状態にしなければ、払出ブロック７を開放動作できないようになっている。
【００８０】
（ドアブロック４の説明）
次に、ドアブロック４を、図７〜図１１を用いて詳細に説明する。ここで、図７，図８は、ドアブロック４を前方及び後方から見たそれぞれの分解斜視図である。また、図９，図１０は、ドアブロック４を構成する前扉体１１と背面枠１２とを分離してそれらを前方から及び後方から見た斜視図である。図１１は受皿ブロック１０の斜視図である。
【００８１】
ドアブロック４において、前扉体１１は、外枠２とほぼ同等の大きさ（縦寸法及び横寸法）を有し、その背面側に重なるようにして背面枠１２が取り付けられている。背面枠１２は、例えばアルミダイキャストにて成形されており、前扉体１１を補強する役目を有する他、遊技主要ブロック５（遊技盤ブロック６と払出ブロック７とからなる）を支持する役目を有するものである。
【００８２】
（前扉体１１の説明）
前扉体１１は、図１に示すように、後述するリール図柄や液晶図柄等を視認可能とする図柄視認部（視認窓２１）と、遊技に際し遊技者により手動操作される操作部３０と、上皿１５１で余剰となった遊技球などを貯留するための下皿７１とを備える。
【００８３】
すなわち、図９等に示すように、前扉体１１の上半部には、図柄視認部として略台形状をなす視認窓２１が形成されている。この視認窓２１には、平坦な透明板よりなる透明パネル２２がはめ込まれており、この透明パネル２２を介してその内方が視認可能となっている。透明パネル２２は、後述する液晶表示装置（図１３に示す液晶表示装置５０４）の前面と、後述するリール装置（図１３に示すリール装置５０３）の前面とを覆うものであり、この透明パネル２２を介して液晶表示装置５０４（図１３参照）の表示画像やリール装置５０３（図１３参照）の図柄が視認される。
【００８４】
こうした比較的大型に構成される視認窓２１（透明パネル２２）によれば、大型の液晶表示装置を用いた画像の表示演出によって遊技者に多大なインパクトを与えることが可能になることに加え、本遊技機１の主表示装置たるリール装置５０３（図１３参照）の図柄の視認性が良好なものとなっている。
【００８５】
前扉体１１の周縁部には、視認窓２１を略囲むようにして、中央ランプ部２４と左右一対の側方ランプ部２５とが設けられるとともに、前扉体１１の右上隅部及び左上隅部にスピーカ部２６が設けられている。遊技に際しては、これらランプ部２４，２５やスピーカ部２６により、その都度の遊技状況に応じたランプ演出や音声演出等が行われる。すなわち、ランプ部２４，２５による発光色や発光パターンを適宜変更したり、スピーカ部２６による音声パターンを適宜変質したりすることで、役の成立等が遊技者に告知される。また、このランプ部２４，２５やスピーカ部２６を用いて、エラー告知等を行うことも可能である。
【００８６】
ちなみに、視認窓２１は、前扉体１１の左右幅に対して左右の側方ランプ部２５を除く範囲で設けられており、故に視認窓２１は左右に幅広いものとなっている。また言い加えると、視認窓２１は、後述するリール装置５０３（図１３参照）や液晶表示装置５０４（図１３参照）の横幅よりも幅広となっている。
【００８７】
視認窓２１の下方には、遊技者により操作される各種操作部材等を配備した操作部３０が設けられている。この操作部３０は、全体として横長状をなしかつ僅かに弧状をなす前面板部３１を有し、その前面板部３１には、スタートレバー３３が設けられるとともに、３連ボタンからなるストップスイッチ３５，３６，３７が設けられている。また、前面板部３１の上端部に位置するように、向かって左寄りの位置（概ねスタートレバー３３と左側のストップスイッチ３５との間）にベットスイッチ取付板部３２が形成されており、その取付板部３２にボタン状のベットスイッチ３８が取り付けられている。
【００８８】
ベットスイッチ３８は、遊技者によるベット（賭け数）の設定を行わせるものであり、その押し操作により上皿１５１に貯留された遊技球が所定個数分取り込まれる。本実施の形態では、ベットスイッチ３８として、いわゆるＭＡＸベットスイッチを設けており、有効な１回の押し操作により３ベット相当（１５個分）の遊技球が取り込まれる。ベットスイッチ３８は、投資価値としての遊技球の投入を指令する投入指令手段を構成する。なお、ＭＡＸベットスイッチとしてのベットスイッチ３８の他に、本遊技機１では、視認窓２１（透明パネル２２）と操作部３０との間に、左右方向に延びる長板状のサブパネル部５０が設けられており、このサブパネル部５０に１ベットスイッチ５５を備えている。１ベットスイッチ５５は、１回の押し操作により１ベット相当（５個分）の遊技球を取り込ませるためのベットスイッチである。また、２ベットスイッチを設ける構成としても良い。ちなみに、２ベットスイッチは、１回の押し操作により２ベット相当（１０個分）の遊技球を取り込ませるためのベットスイッチである。なお、これらの１ベットスイッチ５５や２ベットスイッチを備えない構成としてもよい。
【００８９】
スタートレバー３３は、後述するリール装置５０３（図１３参照）の各リール（回転体）を回転開始させるための操作部材であり、各リールを回転開始、すなわち図柄の可変表示を開始させるべく操作される始動操作手段を構成する。
【００９０】
ストップスイッチ３５〜３７は、停止対象となるリール（左、中、右の三列のリール）に対応するよう設けられており、回転中の各リールを個別に停止させるために操作される停止操作手段を構成する。各ストップスイッチ３５〜３７は、各リールが定速回転となると停止させることが可能な状態となり、かかる状態中には図示しないランプが点灯表示されることによって停止操作が可能であることが報知され、各リールの回転が停止すると消灯されるようになっている。
【００９１】
操作部３０の後方には、図７，図９に示すように、前面板部３１とほぼ同じ長さを有し上方に開口した横長状の開口部４１が形成されている。この開口部４１は、前扉体１１に受皿ブロック１０を装着した場合に上皿１５１を配するための開口領域であり，開口部４１の左右方向の幅寸法は上皿１５１の左右方向の幅寸法に概ね合致し、開口部４１の前後方向の幅寸法は上皿１５１の前後方向の幅寸法よりも若干短いものとなっている。
【００９２】
操作部３０の前面板部３１には、図７，図９に示すように、正面から見て右下部に切欠部４２が形成されている。この切欠部４２は、排出操作伝達装置（図示省略）の操作レバー１８８を設置するための設置スペースとなっている。
【００９３】
また、図１，図１１に示すように、受皿ブロック１０の右側上面部分には、貸球操作部５２が設けられている。貸球操作部５２は、例えば本遊技機１の側方（例えば左方）に配置された縦長のカードユニット（球貸しユニット）に紙幣やカード等を投入した状態で、球貸し操作、カード等の返却操作及び有効度数の確認を行うものであり、球貸しボタン５６と返却ボタン５７と度数表示部５８とが一体的に並設されている。この場合、球貸しボタン５６は、カード（記録媒体）等に記録された情報に基づいて貸出球を得るために操作されるものであり、カード等に残額が存在する限りにおいて貸出球が払い出される。返却ボタン５７は、カードユニットに挿入されたカード等の返却を求める際に操作される。度数表示部５８はカード等の残額情報を表示するものである。
【００９４】
さらに、サブパネル部５０は、図２に示すように、例えば２個の演出切換ボタン５９ａ，５９ｂとを備えている。例えば、遊技者が演出切換ボタン５９ａを選択すると、第１種類の演出表示などが行われ、演出切換ボタン５９ｂを選択すると、第２種類の演出表示などが行われるようになっている。
【００９５】
前扉体１１において、情報表示部５１や貸球繰作部５２の左右の側方部には、奥側に後退するようにして弧状の凹み部６１が設けられており、その凹み部６１には、外枠２に対する遊技機本体部３の施錠及び解錠を行うための施錠装置１２０の後述する背面枠１２に設けたキーシリンダ錠１２５の前面側を露出して収納されるためのキーシリンダ設置穴６２（図９参照）が設置されている。
【００９６】
図１等で確認できるとおり左右の凹み部６１は、上皿１５１の両側で直ぐ上方に位置する。そのため、仮に遊技ホールにおいて球貸しユニットから延びる球貸しノズル（いわゆる象の鼻）を介して上皿１５１に遊技球が貸し出されるような場合にも、その球貸しノズルと前扉体１１との干渉を回避することができる。故に、遊技ホールでの設置状況を考えても有益な構成となっている。
【００９７】
更に、図１に示すように、前扉体１１において、操作部３０の下方には、凹部６１に連続するようにして膨出部７０が形成されており、その膨出部７０に囲まれるようにして下皿７１と灰皿７２が形成されている。図９に示すように、膨出部７０に囲まれた奥壁部７３には、下皿排出口７４とスピーカ穴７５とが形成されている。上皿１５１やその上流通路に遊技球が満タンに貯留されている状態であって更に払出装置（後述する図１６の払出装置６０８）から遊技球が払い出される場合、或いは、上皿１５１内に貯留されている遊技球に対して球抜き操作が行われる場合には、下皿排出口７４を介して下皿７１に遊技球が排出される。
【００９８】
図９に示すように、下皿７１の底部には開口が形成されており、その開口には開閉板７６が設けられている。また、膨出部７０の略中央部には下皿用の球抜き操作片７７が設けられている。球抜き操作片７７は、下皿７１に貯留している遊技球を下皿７１の下方に置かれた球収容箱（いわゆるドル箱）に排出するための操作片であり、図示する通常位置から左方に操作されることで開閉板７６が開位置にスライド移動し、下皿７１内の遊技球の排出が行われる。その他、膨出部７０において下皿７１の左右両側方には下皿ランプ部７８が設けられている。
【００９９】
図１０に示すように、前扉体１１の背面側の構成として、視認窓２１の左右両側には側方ランプ部２５を収容するランプ収容部９１が設けられている。
【０１００】
ここで透明パネル２２の取り付け手順を説明する。視認窓２１の下縁部にはパネル厚み分の幅でパネル受溝９３が形成されている。透明パネル２２は、前扉体１１の後方から、その下端部がパネル受溝９３に嵌め込まれるとともに、その上端部が前扉体１１の背面部に当接される。そしてその状態で、透明パネル２２の前扉体１１への取り付けが完了する。
【０１０１】
（背面枠１２の説明）
図９や図１０に示すように、背面枠１２は、前扉体１１と略相似形をなす矩形状をなしており、概ね等しい細幅の左枠部１０１、右枠部１０２及び上枠部１０３と、それらよりも広幅の下枠部１０４とを有する。これら各枠部１０１〜１０４に囲まれる部位が中央開口部１０５となっており、背面枠１２の背面側には、下枠部１０４の上縁部の一部を除く範囲で中央開口部１０５を囲むようにして一定高さのリブ１０６が形成されている。また、背面枠１２において、外周縁部には前方に直角に折れ曲がった返し部１０７（図９，図１０参照）が形成されている。前扉体１１に対して背面枠１２を組み付けた際には、返し部１０７は前扉体１１の外縁部の内側に重なり、それによって前扉体１１と背面枠１２との間に空間が形成される。そしてこの空間を利用してランプ装置等が配設されるようになっている。
【０１０２】
前述したように本遊技機１は、正面から見て左側に開閉軸線が設けられる構成となっており、上枠部１０３と下枠部１０４には前述のヒンジ金具８が上下２箇所に取り付けられている。
【０１０３】
また、左枠部１０１には、リブ１０６の先端部から後方に延びるようにして上下一対の軸金具１１０，１１１が所定間隔を隔てて取り付けられている。この軸金具１１０，１１１は、遊技盤ブロック６や払出ブロック７を回動可能に支持するための金具部材である。軸金具１１０，１１１は共に略コ字状をなしており、軸金具１１０には上下に軸受け部１１０ａ，１１０ｂが形成され、軸金具１１１には上下に軸受け部１１１ａ，１１１ｂが形成されている。これら軸金具１１０，１１１の各軸受け部１１０ａ，１１０ｂ，１１１ａ，１１１ｂには軸孔が形成されており、軸金具１１０，１１１は全ての軸孔が何れも同一の軸線上に配置されるようリブ１０６に固定されている。
【０１０４】
かかる場合、軸金具１１０の下側の軸受け部１１０ｂと軸金具１１１の上側の軸受け部１１１ａとが遊技盤ブロック６を支持するための遊技盤ブロック支持手段（図６（ａ）の支持手段Ｍ１，Ｍ２）に相当し、軸金具１１０の上側の軸受け部１１０ａと軸金具１１１の下側の軸受け部１１１ｂと払出ブロック７を支持するための払出ブロック支持手段（図６（ａ）の支持手段Ｍ３，Ｍ４）に相当する。
【０１０５】
また、右枠部１０２には、図９，図１０に示すように、ドアブロック４を開放不能な施錠状態で保持するための施錠装置１２０が設けられている。なお、この施錠装置１２０については後ほど詳細に説明する。
【０１０６】
下枠部１０４には、図９，図１０に示すように、前扉体１１に設けた下皿排出口７４に連通する連通口１３１が設けられるとともに、スピーカ穴７５から前方に露出するスピーカ１３２が設けられている。
【０１０７】
背面枠１２の背面側には、遊技主要ブロック５の固定手段、つまり、操作キーを反時計周りに回動操作にかかわらず遊技主要ブロック５のドアブロック４への固定を維持するための後述するロック部材６２７（図３参照）が係止する鉤金具１３７が設けられている。
【０１０８】
背面枠１２は、前扉体１１に対してネジ等の締結具を用いて取り付け固定される。
【０１０９】
（受皿ブロック１０の説明）
次に、受皿ブロック１０について説明する。受皿ブロック１０は、図１１に示すように、順次に取打込まれる遊技球を一時的に貯留する機能を有する上皿１５１と、払出装置（後述する図１６の払出装置６０８）などから供給される遊技球を上皿１５１や下皿７１などに流通させる機能を有する球通路形成体１５２と、遊技球の取込機能を有する取込ユニット１５３（図７参照）とを備えるものである。
【０１１０】
（受皿ブロック１０としての動作説明）
上記の如く構成される受皿ブロック１０において、上皿１５１に多数の遊技球が貯留されている状態では、遊技球は上皿１５１の最下流部での三列に分岐した案内通路（図示省略）で各一列に整列され、その整列状態での遊技球が取込ユニット１５３の三個の取込装置（図示省略）で並列的に取り込まれる。この取り込まれた遊技球は、所定通路で流れて外部（遊技ホールの島設備）に排出される。また、遊技球排出時（球抜き時）には、遊技球が、三個の取込装置（図示省略）の排出通路に流れて最終的に下皿７１に排出される。
【０１１１】
一方、後述する図１６の払出装置６０８等から遊技球分配部材（図示省略）に遊技球が供給されると、この遊技球分配部材（図示省略）に設けられた各通路（図示省略）による振り分けによって、遊技球が上皿１５１、下皿排出通路（図示省略）、外部排出通路（図示省略）のいずれかに分配される。
【０１１２】
（遊技盤ブロック６の説明）
次に、遊技盤ブロック６について図１２〜図１５を用いて説明する。図１２は遊技盤ブロック６の後方斜視図である。図１３は遊技盤ブロック６の分解斜視図である。図１４は、前面枠体５０１およびベース板５０２とリール装置５０３との斜視図である。
【０１１３】
遊技盤ブロック６は、図１２，図１３に示すように、合成樹脂製の前面枠体５０１と、この前面枠体５０１の背面側に取り付けられる金属製のベース板５０２と、図柄表示装置としてのリール装置５０３と、補助演出装置としての液晶表示装置５０４と、遊技に関わる主たる各種制御を実施する主制御装置５０５と、主制御装置５０５からの指令に基づく従たる表示制御等を実施するサブ制御装置５０６とを備えている。この場合、遊技盤ブロック６は、本遊技機１の遊技内容を決定する主要部品を全て備える構成となっており、仮に遊技ホール等において機種入替を行う場合には、この遊技盤ブロック６を現機種のものから新たな機種のものに入れ替えることで機種入替を行うことができるようになっている。すなわち、遊技盤ブロック６は機種入替時などにおける交換ユニットとなっている。
【０１１４】
（前面枠体５０１の説明）
前面枠体５０１は、いずれも横長の矩形状をなす上下２つの開口が設けられており、それぞれ上側表示窓５１３、下側表示窓５１４となっている。上側表示窓５１３は、液晶表示装置５０４による表示画像を表示するための液晶画像表示部に相当し、下側表示窓５１４は、リール装置５０３の外周に付されたリール図柄を表示するためのリール図柄表示部に相当する。
【０１１５】
遊技盤ブロック６をドアブロック４に装着した状態を想定すると、上側表示窓５１３の周囲部分は透明パネル２２の上側パネル面２２ａと同様にはほぼ鉛直方向に設けられ、下側表示窓５１４の周囲部分は、同透明パネル２２の下側パネル面２２ｂと同様に若干上方を向くようにして設けられることとなる。
【０１１６】
（ベース板５０２の説明）
ベース板５０２は、前面枠体５０１とほぼ同じ大きさを有している。このべ一ス板５０２には、各々矩形状をなす上下２つの開口部（上側開口部５２１，下側開口部５２２）が形成されている。このうち、上側開口部５２１は液晶表示装置５０４を装着するための開口であり、下側開口部５２２はリール装置５０３を装着するための開口である。そして、ベース板５０２は、各開口部５２１，５２２の側方部位で前面枠体５０１への取り付けが行われる。なお、各開口部５２１，５２２は、前面枠体５０１の各表示窓５１３，５１４にそれぞれ対応して設けられており、各表示窓５１３，５１４よりも一回り大きいものとなっている。
【０１１７】
ベース板５０２の背面側において左右両縁部にはそれぞれ角柱状の柱部５３１，５３２が取り付けられている。そのうち、背面側から見て右側の柱部５３１には支持金具５３３が取り付けられている。支持金具５３３には上下一対の支軸５３４ａ，５３４ｂが設けられている。支持金具５３３の支軸５３４ａ，５３４ｂは、遊技盤ブロック６をドアブロック４に回動可能に支持するための支持手段を構成するものであり、この支軸５３４ａ，５３４ｂがドアブロック４に設けられた軸金具１１０，１１１の軸受け部１１０ｂ，１１１ａの軸孔（図８等参照）に差し入れられるようになっている。なお、ドアブロック４側の軸受け部１１０ｂ，１１１ａと遊技盤ブロック６側の支軸５３４ａ，５３４ｂとが図６に示す「遊技盤ブロック６用の支持手段Ｍ１，Ｍ２」に相当する。
【０１１８】
（リール装置５０３の説明）
リール装置５０３は、金属製のケース部材５４０と、そのケース部材５４０に収容される左・中・右の３つのリール５４１，５４２，５４３とを具備している。ケース部材５４０は、その内部に３つのリール５４１〜５４３を回転可能に収容し、かつ、リール５４１〜５４３の一部を前方に現出させるものとなっている。ケース部材５４０において上面部の前側端部には、上方に折り曲げて形一成された支持固定部５４５が設けられ、下面部の前側端部には、下方に折り曲げて形成された支持固定部５４６が設けられている。これら支持固定部５４５，５４６は、リール装置５０３をベース板５０２に取り付けるための取付手段を構成するものである。
【０１１９】
支持固定部５４５，５４６にはそれぞれ左右２カ所に孔部５４５ａ，５４６ａが設けられており、本リール装置５０３のベース板５０２への取り付け固定は、各孔部５４５ａ，５４６ａに挿通させたネジをベース板５０２のネジ穴にネジ止めさせることにより行われている。
【０１２０】
各リール５４１〜５４３の構成について周知であり、ここでは詳細な図示を省略するが、その構成を簡単に説明する。各リール５４１〜５４３は、円筒状のかごを形成する円筒骨格部材と、その外周に巻回された帯状のベルトとを備えている。ベルトの外周面には、識別情報としての図柄が等間隔ごとに多数印刷されている（例えば２１図柄）。各リール５４１〜５４３の中央部には、駆動源としてのステッピングモータが設けられており、該ステッピングモータの駆動により各リール５４１〜５４３が個別に、すなわちそれぞれ独立して回転駆動される。リール装置５０３には、その他の構成として、各リール５４１〜５４３の回転位置を検出するためのリールインデックスセンサ（回転位置検出センサ）が設置されている。また、各リール５４１〜５４３の内周側には、蛍光ランプ等よりなるバックライト（後方発光手段）が設けられており、このバックライトにより、リール外周面に付された各図柄が後方より明るく照らされるようになっている。バックライトの発光によって、リール外周面に付された各図柄の視認性の向上や、遊技に際し補助的な演出の多様化を図ることができる。
【０１２１】
（主制御装置５０５等の説明）
次に、主制御装置５０５やサブ制御装置５０６等の構成を、図１３等を用いて説明する。
【０１２２】
主制御装置５０５は、ＣＰＵやメモリ等の電子部品が実装された主制御基板５６１と、この主制御基板５６１を収容するための略直方体形状のケース部材（ケース台５６２及びケースカバー５６３）と、主制御基板５６１を収容したケース部材が取り付けられる取付台５６４とから構成されている。ケース台５６２及びケースカバー５６３は透明な合成樹脂材料にて成形されており、この透明なケース台５６２及びケースカバー５６３によってその内部の主制御基板５６１が視認可能となっている。
【０１２３】
なお、ケース台５６２及びケースカバー５６３には、これら各部材を連結する封印手段としての図示しない封印部（いわゆるカシメ部）が設けられている。封印部は、破壊等を伴うことでケース部材を開封可能とするものであり、開封後には破壊などがなされた部材が開封履歴として残るため、その開封履歴によって開封事実の確認が可能となっている。これにより、仮にケース部材が不正に開封された場合などにおいては、封印部の確認によって不正行為の発見が可能となっている。
【０１２４】
サブ制御装置５０６は、ＣＰＵやメモリ等の電子部品が実装されたサブ制御基板５７１と、このサブ制御基板５７１を収容するための略直方体形状のケース部材（ケース台５７２及びケースカバー５７３）とから構成されている。ケース台５７２及びケースカバー５７３は透明な合成樹脂材料にて成形されており、この透明なケース台５７２及びケースカバー５７３によってその内部のサブ制御基板５７１が視認可能となっている。
【０１２５】
液晶表示装置５０４は、液晶パネル５８１と、この液晶パネル５８１を駆動する液晶ドライバ５８２とにより構成されている。
【０１２６】
（遊技盤ブロック６として完成状態の説明）
遊技盤ブロック６の完成状態を図１２を用いて説明する。遊技盤ブロック６としては、前面枠体５０１とベース板５０２とを一体化させたものに、背後からリール装置５０３が取り付けられ、リール装置５０３の上方に液晶表示装置５０４が取り付けられている。また、リール装置５０３の側方に主制御装置５０５が取り付けられるとともに、同リール装置５０３の上方にサブ制御装置５０６が取り付けられている。
【０１２７】
遊技盤ブロック６において、前面枠体５０１の上側表示窓５１３からは液晶パネル５８１のパネル面全体が視認できる。また，同前面枠体５０１の下側表示窓５１４からはリール装置５０３の各リール５４１〜５４３の一部が視認できる。このとき、各リール５４１〜５４３の外周に付された多数（本実施の形態では２１個）の図柄のうち、リール毎に３つずつの図柄が下側表示窓５１４を通じて視認できるようになっている。
【０１２８】
なお、遊技盤ブロック６には、図示省略の情報表示部が備えられている。この情報表示部（図示省略）には、小役成立時における獲得球数を表示する獲得球数表示部（図示省略）と、ビッグボーナスやレギュラーボーナス等の特別遊技状態の際に例えば残りのゲーム数等を表示するゲーム数表示部（図示省略）とが設けられている。これら獲得球数表示部（図示省略）やゲーム数表示部（図示省略）は、７セグメント表示器によって構成されているが、液晶表示器等によって代替することは当然可能である。
【０１２９】
（払出ブロック７の説明）
次に、払出ブロック７について図１５，図１６を用いて説明する。図１５は払出ブロック７の斜視図、図１６は払出ブロック７の背面図である。
【０１３０】
払出ブロック７は、合成樹脂材料にて一体成形された裏カバー部材６０１と、遊技球を払い出すための払出機構６０２とが一体化されることにより構成されている。裏カバー部材６０１は、略平坦状のベース部６０３と、後方（遊技機１の後方）に突出し略直方体形状をなす保護カバー部６０４とを有する。保護カバー部６０４は左右及び上下の各面と背面とが閉鎖された形状をなし、少なくとも遊技盤ブロック６の背面側構成（主制御装置５０５とリール装置５０３とサブ制御装置５０６）を収容するのに十分な大きさを有する。なお、保護カバー部６０４の背面には、図１５，図１６に示すように、多数の通気孔が設けられている。
【０１３１】
払出機構６０２は、保護カバー部６０４を迂回するようにして裏カバー部材６０１のべース部６０３に取り付けられている。すなわち、裏カバー部材６０１の最上部には上方に開口したタンク６０５が設けられており、タンク６０５には遊技ホールの島設備から供給される遊技球が逐次補給される。タンク６０５の下方には、例えば横方向２列（２条）の球通路を有し下流側に向けて緩やかに傾斜するタンクレール６０６が連結され、タンクレール６０６の下流側には上下方向に延びるケースレール６０７が連結されている。
【０１３２】
払出装置６０８はケースレール６０７の最下流部に設けられ、受皿ブロック１０に設けた払出制御装置１５７からの制御信号により払出ソレノイド６０９が駆動されて必要個数の遊技球の払出が適宜行われる。払出装置６０８より払い出された遊技球は払出通路〈図示省略〉等を通じて上皿１５１に供給される。図示は省略するが、ケースレール６０７の上流部には、タンク６０５やタンクレール６０６から供給される遊技球の有無を検出するタンク球無しセンサが設けられている。また、払出装置６０８には、遊技球を払い出す払出ソレノイド６０９と、その払い出される遊技球数をカウントする払出カウントスイッチとが設けられている。
【０１３３】
払出機構６０２には、払出制御装置１５７から払出装置６０８への払出指令の信号を中継する払出中継基板６１１が設置されている。その他、払出機構６０２には、外部より主電源を取り込むための電源スイッチ基板（図示省略）が設置されている。
【０１３４】
払出機構６０２におけるタンクや通路部材類はいずれも導電性を有する合成樹脂材料、例えば導電性ポリカーボネート樹脂にて成形され、その一部にてアースされている。これにより、遊技球の帯電によるノイズの発生が抑制されるようになっている。
【０１３５】
裏カバー部材６０１には、図１５に示すように、背面側から見て右端部に上下一対の支軸６２１ａ，６２１ｂが設けられている。この支軸６２１ａ，６２１ｂは、払出ブロック７をドアブロック４に回動可能に支持するための支持手段を構成するものであり、この支軸６２１ａ，６２１ｂがドアブロック４に設けられた軸金具１１０，１１１の軸受け部１１０ａ，１１１ｂの軸孔（図１０等参照）に差し入れられるようになっている。なお、ドアブロック４側の軸受け部１１０ａ，１１１ｂと払出ブロック７側の支軸６２１ａ，６２１ｂとが図６に示す「払出ブロック７用の支持手段Ｍ３，Ｍ４」に相当する。
【０１３６】
また、図３に示すように、払出ブロック７の裏面視で右上隅箇所と下端中央箇所（図示省略）の箇所には、遊技主要ブロック５をドアブロック４に装着した状態で固定するための装着固定手段（ロック部材６２７）がそれぞれ設けられている。つまり、図３に示すように、遊技機本体部３が外枠２に対して片開きされた状態において、両方のロック部材６２７を解除することで、ドアブロック４の鉤金具１３７との固定が解除され、ロック部材６２７による遊技主要ブロック５のドアブロック４への固定を解除することができるので、後述するように施錠装置１２０に操作キーを挿入し、反時計周りに回動させることで、遊技主要ブロック５をドアブロック４に対して片開き状態とすることができる。つまり、予めロック部材６２７を解除し、操作キーを時計周りに回動操作して施錠装置１２０による遊技主要ブロック５のドアブロック４への施錠を解除することで、遊技主要ブロック５をドアブロック４に対して片開き状態とすることができる。
【０１３７】
なお、この片開き状態において遊技主要ブロック５を高さ方向に上げることで、遊技盤ブロック６の支軸５３４ａ，５３４ｂのドアブロック４の軸受け部１１０ｂ，１１１ａへの軸支が解除され、かつ、裏カバー部材６０１の支軸６２１ａ，６２１ｂのドアブロック４の軸受け部１１０ａ，１１１ｂへの軸支が解除され、遊技主要ブロック５がドアブロック４から取り外しできるようになっている。
【０１３８】
また、図４に示すように、遊技盤ブロック６の裏面視で左上隅と左下隅の箇所には、払出ブロック７を当該遊技盤ブロック６に装着した状態で固定するための装着固定手段（ロック部材６２５）がそれぞれ設けられている。つまり、図４に示すように、遊技主要ブロック５がドアブロック４に対して片開きされた状態において、ロック部材６２５を解除することで、払出ブロック７の鉤金具６２６との固定が解除され、払出ブロック７を遊技盤ブロック６に対して片開き状態とすることができる。
【０１３９】
なお、この片開き状態において払出ブロック７を高さ方向に上げることで、裏カバー部材６０１の支軸６２１ａ，６２１ｂのドアブロック４の軸受け部１１０ａ，１１１ｂへの軸支が解除され、払出ブロック７が遊技盤ブロック６から取り外しできるようになっている。また、払出ブロック７を遊技盤ブロック６に対して閉じた状態にしてロック部材６２５でロックする、つまりロック部材６２５を鉤金具６２６に係止させることで、払出ブロック７を遊技盤ブロック６に装着した状態で固定することができる。
【０１４０】
次に、本実施例の遊技機１のさらなる特徴部分の構成について、図１７，図１８も用いて説明する。図１７は、ドアブロック４の左側面の上部箇所を示す部分斜視図である。図１８は、侵入阻止部材６３２の分解斜視図である。
【０１４１】
本実施例の遊技機１は、前述したように、外枠２と、この外枠２の前面側に設けられて当該外枠２に対して開閉可能に支持される遊技機本体部３と、を備えている。
【０１４２】
遊技機本体部３は、図１７，図１８に示すように、その一辺側（実施例では左辺側）を開閉回動軸Ｊ１として外枠２に対して片開き自在となっており、その左側面の上部箇所に、当該遊技機本体部３の開放を検出する扉開放検出スイッチ６３０を備えている。正確に言えば、扉開放検出スイッチ６３０は、図１７，図１８に示すように、遊技機本体部３を構成するドアブロック４の左側面の上部箇所に備えられており、この扉開放検出スイッチ６３０によって、遊技機本体部３（ドアブロック４）の開放が検出される。
【０１４３】
扉開放検出スイッチ６３０は、図１７，図１８に示すように、遊技機本体部３を閉じた状態で外枠２の左側の内面箇所に接触することで押下されるスイッチ部６３１を備えており、このスイッチ部６３１が押下されることで遊技機本体部３の閉鎖を検出し、スイッチ部６３１の押下が解除されることで遊技機本体部３の開放を検出するものである。この扉開放検出スイッチ６３０としては、例えば、ヒンジレバー形のマイクロスイッチなどが挙げられる。
【０１４４】
つまり、外枠２は、その内面の所定箇所（左側の内面箇所）が、遊技機本体部３が閉じた状態において扉開放検出スイッチ６３０のスイッチ部６３１に当接することで当該スイッチ部６３１を押下するようになっている。
【０１４５】
また、ドアブロック４は、図１７，図１８に示すように、その左側面の上部箇所であって、扉開放検出スイッチ６３０をそのスイッチ部６３１の押下方向視した状態で当該スイッチ部６３１の押下方向周り箇所に、侵入阻止部材６３２が配設されている。
【０１４６】
侵入阻止部材６３２は、図１７，図１８に示すように、スイッチ部６３１の方への侵入を阻む返し突起部６３３を有する平板状で金属製の防犯板金６３４を備えている。
【０１４７】
また、侵入阻止部材６３２は、図１８に示すように、金属製の防犯板金６３４の裏面側に平板状のスポンジシール６３５を備え、このスポンジシール６３５の一方の面に防犯板金６３４の裏面側が貼り付けられ、かつ、スポンジシール６３５の他方の面をドアブロック４の左側面の上部箇所でスイッチ部６３１の押下方向周りの所定箇所に貼り付けられて構成されている。
【０１４８】
また、金属製の防犯板金６３４は、図１７，図１８に示すように、その一部が、ドアブロック４の左側面の上部箇所で扉開放検出スイッチ６３０とドアブロック４の前面側との間の箇所である第１箇所に位置するように設けられ、かつ、返し突起部６３３のうちの少なくとも一つが前記第１箇所に位置するように設けられている。つまり、複数個の返し突起部６３３のうちの一つが、扉開放検出スイッチ６３０とドアブロック４の前面側との間の箇所（第１箇所）に位置している。この返し突起部６３３は、その先端側がドアブロック４の前面側で、かつ、防犯板金６３４の面から外側斜めに向きに延出した形状となっている。
【０１４９】
さらに、ドアブロック４は、図１７，図１８に示すように、その裏面側で開閉自在な遊技主要ブロック５を当該開閉自在に軸支するための軸金具１１０を備えている。
【０１５０】
具体的には、軸金具１１０は、図１８に示すように、遊技主要ブロック５に対して開閉自在に嵌合される一対の軸受け部１１０ａ，１１０ｂと、この両軸受け部１１０ａ，１１０ｂを繋ぐ板部１１２とを備えている。さらに、この軸金具１１０は、ドアブロック４の左側面の上部箇所におけるスイッチ部６３１の押下方向周り箇所のうちで扉開放検出スイッチ６３０とドアブロック４の裏面側との間の箇所である第２箇所に、板部１１２が位置するように設けられている。
【０１５１】
図１８に示すように、軸金具１１０の板部１１２でのドアブロック４の側辺側の所定箇所には、平板状のスポンジシール６３５が配設されている
【０１５２】
なお、上述した外枠１は本発明の本体枠に相当し、上述した遊技機本体部３またはドアブロック４は本発明の扉部材に相当し、上述した遊技主要ブロック５は本発明の裏面側部材に相当し、上述した扉開放検出スイッチ６３０は本発明の扉部材開放検出スイッチに相当し、上述した侵入阻止部材６３２は本発明の侵入阻止手段に相当し、上述した防犯板金６３４は本発明の金属製部材に相当し、上述したスポンジシール６３５は本発明の弾性部材に相当し、上述した軸金具１１０は本発明の軸受部材に相当し、上述した軸受け部１１０ａ，１１０ｂは本発明の嵌合部に相当する。
【０１５３】
上述したように、本実施例の遊技機１によれば、外枠２と、この外枠２の前面側に設けられて当該外枠２に対して開閉可能に支持される遊技機本体部３と、この遊技機本体部３の開放を検出する扉開放検出スイッチ６３０とを備え、この扉開放検出スイッチ６３０は、遊技機本体部３を閉じた状態で外枠２で押下されるスイッチ部６３１を備え、このスイッチ部６３１が押下されることで遊技機本体部３の閉鎖を検出し、スイッチ部６３１の押下が解除されることで遊技機本体部３の開放を検出するものであり、扉開放検出スイッチ６３０をそのスイッチ部６３１の押下方向視した状態で当該スイッチ部６３１の押下方向周り箇所に侵入阻止部材６３２を備えている。
【０１５４】
したがって、不正行為者が外枠２と遊技機本体部３との隙間に不正具をさし入れたとしても、扉開放検出スイッチ６３０のスイッチ部６３１の周囲箇所に設けられた侵入阻止部材６３２によって不正具のスイッチ部６３１への侵入を低減でき、不正具でスイッチ部６３１が不正に押下されることを低減でき、スイッチ部６３１を不正具で押下したままで遊技機本体部３を開放することを困難にできる。そして、スイッチ部６３１が押下されていない状態で遊技機本体部３を開放すると、遊技機本体部３の開放がホールコンピュータに知らされ、ホールコンピュータでは当該遊技機１の遊技機本体部３の開放が報知される。その結果、扉開放検出スイッチ６３０への不正操作を低減できる遊技機を提供することができる。
【０１５５】
また、遊技機本体部３は、その一辺側を開閉回動軸Ｊ１として外枠２に対して片開き自在となっており、前記一辺側に当たる側辺の所定箇所に扉開放検出スイッチ６３０を備え、外枠２は、その内面の所定箇所が、遊技機本体部３が閉じた状態において扉開放検出スイッチ６３０のスイッチ部６３１に当接することで当該スイッチ部６３１を押下するようになっているので、遊技機本体部３を閉じた状態において、遊技機本体部３の両辺のうちで開閉回動軸Ｊ１の存する側の側辺に設けられた扉開放検出スイッチ６３０のスイッチ部６３１が外枠２の内面に当接することで当該スイッチ部６３１が押下されるというタイプの遊技機においても、前記と同様に扉開放検出スイッチ６３０への不正操作を低減できる。
【０１５６】
また、侵入阻止部材６３２は、スイッチ部６３１の方への侵入を阻む返し突起部６３３を有する平板状の防犯板金６３４を備えているので、不正行為者が外枠２と遊技機本体部３との隙間に不正具をさし入れたとしても、扉開放検出スイッチ６３０のスイッチ部６３１の周囲箇所に設けられた侵入阻止部材６３２の返し突起部６３３によって不正具のスイッチ部６３１への侵入を低減でき、不正具でスイッチ部６３１が不正に押下されることを低減でき、スイッチ部６３１を不正具で押下したままで遊技機本体部３を開放することを困難にできる。
【０１５７】
また、侵入阻止部材６３２は、防犯板金６３４の裏面側に平板状のスポンジシール６３５を備え、このスポンジシール６３５の一方の面に防犯板金６３４の裏面側が貼り付けられ、かつ、スポンジシール６３５の他方の面を遊技機本体部３の一辺側に当たる側辺でスイッチ部６３１の押下方向周りの所定箇所に貼り付けられて構成されているので、侵入阻止部材６３２への衝撃をスポンジシール６３５で吸収でき、運搬時等の侵入阻止部材６３２の損傷を低減できる。
【０１５８】
また、防犯板金６３４は、その一部が、遊技機本体部３の一辺側に当たる側辺で扉開放検出スイッチ６３０と当該遊技機本体部３の前面側との間の箇所である第１箇所に位置するように設けられ、かつ、返し突起部６３３のうちの少なくとも一つが第１箇所に位置するように設けられているので、不正行為者が遊技機本体部３の前面から外枠２と遊技機本体部３との隙間に不正具をさし入れたとしても、侵入阻止部材６３２の防犯板金６３４での第１箇所の返し突起部６３３によって不正具の扉開放検出スイッチ６３０への侵入を低減でき、不正具でスイッチ部６３１が不正に押下されることを低減でき、スイッチ部６３１を不正具で押下したままで扉部材を開放することを困難にできる。
【０１５９】
また、遊技機本体部３は、その裏面側で開閉自在な遊技主要ブロック５を当該開閉自在に軸支するための軸金具１１０を備え、この軸金具１１０は、遊技主要ブロック５に対して開閉自在に嵌合される一対の軸受け部１１０ａ，１１０ｂと、この両軸受け部１１０ａ，１１０ｂを繋ぐ板部１１２とを備え、軸金具１１０は、遊技機本体部３の一辺側に当たる側辺におけるスイッチ部６３１の押下方向周り箇所のうちで扉開放検出スイッチ６３０と当該遊技機本体部３の裏面側との間の箇所である第２箇所に、板部１１２が位置するように設けられ、この板部１１２での遊技機本体部３の側辺側の所定箇所に平板状のスポンジシール６３５を備えているので、軸金具１１０への衝撃をスポンジシール６３５で吸収でき、運搬時等の軸金具１１０の損傷を低減できる。また、不正行為者が遊技機１の裏面から不正具をさし入れたとしても、侵入阻止部材６３２の軸金具１１０上のスポンジシール６３５によって不正具の扉開放検出スイッチ６３０への侵入を低減でき、不正具でスイッチ部６３１が不正に押下されることを低減でき、スイッチ部６３１を不正具で押下したままで遊技機本体部３を開放することを困難にできる。
【０１６０】
続いて、本実施例の遊技機１のさらなる特徴部分の構成について、図１９〜図２３も用いて説明する。
【０１６１】
図１９（ａ）は、ドアブロック４の背面枠１２の裏面下部箇所を概ね裏面視した一部破断図であり、図１９（ｂ）は、その図１９（ａ）での投入球通路６４０の部分の一部破断図である。図２０は、背面枠１２の投入球通路６４０の部分を示す一部破断斜視図である。図２１は、背面枠１２の投入球通路６４０の分解斜視図である。図２２は、背面枠１２の下部箇所を示す一部裏面図である。図２３は、図２２に示した背面枠１２のＡ−Ａ線断面図である。
【０１６２】
本実施例の遊技機１は、図４に示すように、外枠２と、この外枠２の前面側に設けられて当該外枠２に対して開閉可能に支持される遊技機本体部３とを備えている。この遊技機本体部３は、その前面側に位置するドアブロック４を備えている。
【０１６３】
また、ドアブロック４の背面枠１２の裏面左下箇所には、図１９〜図２３に示すように、遊技球を案内する案内通路を複数本独立して有する、樹脂成型品である投入球通路６４０を備えている。
【０１６４】
投入球通路６４０は、図２１に示すように、背面枠１２の裏面に沿って縦方向に断面された、枠側用部材６４１と取付用部材６４２とに大別される。つまり、背面枠１２の裏面側に形成された枠側用部材６４１に取付用部材６４２を取り付けることで、投入球通路６４０が完成する。
【０１６５】
また、投入球通路６４０は、図２３に示すように、前記複数本の案内通路としての、当該遊技機側に遊技球を回収する回収用案内通路６４３と、この回収用案内通路６４３下に設けられた、遊技者側に遊技球を返却する返却用案内通路６４４とを備えている。
【０１６６】
つまり、図２１に示すように、背面枠１２の裏面側に形成された枠側用部材６４１は、その上部に、回収用案内通路６４３を遊技球案内方向に略半分に分割した上部奥側片通路部６４３ａおよび上部手前側片通路６４３ｂのうちの上部奥側片通路部６４３ａを備え、かつ、その下部に、返却用案内通路６４４を遊技球案内方向に略半分に分割した下部奥側片通路部６４４ａおよび下部手前側片通路６４４ｂのうちの下部奥側片通路部６４４ａを備えている。
【０１６７】
また、図２３に示すように、取付用部材６４２は、その上部に、回収用案内通路６４３の片側半分である上部手前側片通路６４３ｂを備え、かつ、その下部に、返却用案内通路６４４の片側半分である下部手前側片通路６４４ｂを備えている。
【０１６８】
また、投入球通路６４０は、図２０、図２１および図２３に示すように、複数本の案内通路間に金属製の通路用板金６４５を備えている。本実施例では、通路用板金６４５は、回収用案内通路６４３と返却用案内通路６４４との間に設けられている。
【０１６９】
具体的には、通路用板金６４５は、図２１に示すように、平面板部６４６と、この平面板部６４６の両端を同一方向に折り曲げた両折り曲げ片６４７とを備え、側面視でコの字形状としたものである。さらに、この通路用板金６４５は、図２０、図２１および図２３に示すように、その両折り曲げ片６４７を、返却用案内通路６４４の方に向け、かつ、この返却用案内通路６４４内で当該案内方向に沿うようにするとともに、折り曲げ片６４７の長さを遊技媒体よりも大きくしたものである。
【０１７０】
また、投入球通路６４０は、図１９〜図２３に示すように、遊技主要ブロック５をドアブロック４に対して閉じた状態において当該遊技主要ブロック５の一部の下面箇所が載置される被載置部６４８と、遊技主要ブロック５を閉じる際に当該遊技主要ブロック５の前記下面箇所を被載置部６４８に案内する傾斜案内片６４９とを備えている。
【０１７１】
また、投入球通路６４０は、図１９〜図２３に示すように、回収用案内通路６４３の下流側でその上方箇所に、閉状態の遊技主要ブロック５に対向する方向に開口した連通口１３１を備え、この連通口１３１の開口面は平面状としている。
【０１７２】
なお、上述した投入球通路６４０は本発明の案内通路部材に相当し、上述した回収用案内通路６４３、返却用案内通路６４４は本発明の案内通路に相当し、上述した通路用板金６４５は本発明の介装部材に相当し、上述した連通口１３１は本発明の開口部に相当する。
【０１７３】
上述したように、本実施例の遊技機１によれば、遊技球を案内する案内通路を複数本独立して有する樹脂成型品である投入球通路６４０を備えており、この複数本の案内通路間に金属製の通路用板金６４５を備えているので、一の案内通路の所定箇所から他の案内通路に向けて不正な熱した部材を押し当てて溶かして不正な孔を開けることで一の案内通路と他の案内通路とを不正に連通しようとしても、それらの案内通路間の通路用板金６４５によって不正な孔を開けることを防止でき、案内通路同士を不正に連通する不正行為を防止できる。
【０１７４】
また、投入球通路６４０は、遊技機側に遊技球を回収する回収用案内通路６４３と、この回収用案内通路６４３下に設けられた、遊技者側に遊技球を返却する返却用案内通路６４４とを備え、通路用板金６４５は、回収用案内通路６４３と返却用案内通路６４４との間に設けられているので、回収用案内通路６４３の所定箇所から返却用案内通路６４４に向けて不正な熱した部材を押し当てて溶かして不正な孔を開けることで回収用案内通路６４３と返却用案内通路６４４とを不正に連通し、本来回収されるべき遊技媒体を不正に返却させようとしても、回収用案内通路６４３と返却用案内通路６４４との間の通路用板金６４５によって不正な孔を開けることを防止でき、回収用案内通路６４３から返却用案内通路６４４への不正な連通孔を通して不正に遊技媒体の返却を受けるという不正行為を防止できる。
【０１７５】
また、通路用板金６４５は、平面板部６４６とこの平面板部６４６の両端を同一方向に折り曲げた両折り曲げ片６４７とを備えた側面視でコの字形状のものであり、その両折り曲げ片６４７を、返却用案内通路６４４の方に向け、かつ、返却用案内通路６４４内で当該案内方向に沿うようにするとともに、折り曲げ片６４７の長さを遊技媒体よりも大きくしたものである。したがって、通路用板金６４５をその両折り曲げ片６４７を返却用案内通路６４４に向けて置くだけで、回収用案内通路６４３と返却用案内通路６４４とを仕切ることができ、当然に通路用板金６４５の平面板部６４６と返却用案内通路６４４との間を回収用の遊技球が通過できる。
【０１７６】
また、投入球通路６４０は、ドアブロック４の裏面側に設けられ、遊技主要ブロック５をドアブロック４に対して閉じた状態において当該遊技主要ブロック５の一部の下面箇所が載置される被載置部６４８と、遊技主要ブロック５を閉じる際に当該遊技主要ブロック５の下面箇所を被載置部６４８に案内する傾斜案内片６４９とを備えているので、遊技主要ブロック５を閉じる際に投入球通路６４０の傾斜案内片６４９によって遊技主要ブロック５の下面箇所が投入球通路６４０の被載置部６４８に案内されて、この遊技主要ブロック５を閉じることができ、遊技主要ブロック５を無理なく閉じることができる。
【０１７７】
また、投入球通路６４０は、回収用案内通路６４３の下流側でその上方箇所に、閉状態の遊技主要ブロック５に対向する方向に開口した連通口１３１を備え、この連通口１３１の開口面は平面状としているので、連通口１３１の側面箇所には不正行為に用いられるまたはその可能性のある隙間などを排除している。つまり、連通口１３１の側面箇所の一部が切り欠かれた切欠部を排除しているので、不正行為を抑止する隙間対策になる。
【０１７８】
続いて、本実施例の遊技機１のさらなる特徴部分の構成について、図２４，図２５も用いて説明する。
【０１７９】
図２４は、ドアブロック４の背面枠１２の裏面右下部箇所を示す一部破断斜視図である。図２５は、ドアブロック中継端子板ユニット６５０の分解斜視図である。
【０１８０】
本実施例の遊技機１は、図２４，図２５に示すように、遊技に関する所定の制御としての中継制御を行うドアブロック中継基板６５１と、このドアブロック中継基板６５１が装着される中継端子板ベース６５２とを備えている。
【０１８１】
中継端子板ベース６５２は、図２５に示すように、ドアブロック中継基板６５１が装着される装着面の所定箇所に、その装着面から当該装着されたドアブロック中継基板６５１に向かって突出したリブ６５３を備えている。
【０１８２】
中継端子板ベース６５２は、図２５に示すように、ドアブロック４の背面枠１２の裏面側に装着され、その装着状態においての所定箇所が、配線（ハーネス等）を束ねるクランプ部材６５４の係止爪６５５をドアブロック４の背面枠１２の係止穴６５６に係止させることで当該背面枠１２に取り付けられており、クランプ部材６５４をドアブロック４の背面枠１２から取り外す際には、その係止爪６５５が破壊されるようになっている。
【０１８３】
なお、上述したドアブロック中継基板６５１は本発明の制御基板に相当し、上述した中継端子板ベース６５２は本発明の被装着体に相当し、上述したリブ６５３は本発明のリブに相当し、上述したクランプ部材６５４は本発明の結束部材に相当する。
【０１８４】
上述したように、本実施例の遊技機１によれば、遊技に関する所定の制御としての中継制御を行うドアブロック中継基板６５１と、このドアブロック中継基板６５１が装着される中継端子板ベース６５２とを備え、この中継端子板ベース６５２は、ドアブロック中継基板６５１が装着される装着面の所定箇所に、その装着面から当該装着されたドアブロック中継基板６５１に向かって突出したリブ６５３を備えているので、中継端子板ベース６５２と、その中継端子板ベース６５２に装着されたドアブロック中継基板６５１との間に、不正な制御基板などが仕込まれるようなスペースを低減することができ、ドアブロック中継基板６５１の裏面側に不正な制御基板などを仕込むという不正行為を低減できる。
【０１８５】
また、中継端子板ベース６５２は、ドアブロック４の背面枠１２の裏面側に装着され、その装着状態においての所定箇所が、配線（ハーネス等）を束ねるクランプ部材６５４の係止爪６５５をドアブロック４の背面枠１２の係止穴６５６に係止させることで当該背面枠１２に取り付けられており、クランプ部材６５４をドアブロック４の背面枠１２から取り外す際には、その係止爪６５５が破壊されるようになっているので、中継端子板ベース６５２をドアブロック４の背面枠１２から取り外してこの中継端子板ベース６５２の裏面側に不正物を仕込んだとしても、クランプ部材６５４が破壊されているので、再使用することができず、不正物を仕込んだ中継端子板ベース６５２をドアブロック４の背面枠１２に再装着することができ、不正行為を低減できる。
【０１８６】
続いて、本実施例の遊技機１のさらなる特徴部分の構成について、図２６，図２７も用いて説明する。
【０１８７】
図２６（ａ）は、受皿ブロック１０の平面図であり、図２６（ｂ）は、受皿ブロック１０の底面図である。図２７は、受皿ブロック１０の分解斜視図である。
【０１８８】
本実施例の遊技機１は、図７，図８に示すように、払い出された遊技球を貯留しその遊技球を取込ユニット１５３へ案内する上皿５１を備えている。
【０１８９】
上皿１５１は、図２６（ｂ），図２７に示すように、その裏面側に装着され、所定の配線（ハーネス等）を収容する上皿底面部材６６０を備えている。
【０１９０】
この上皿底面部材６６０は、図２６（ｂ），図２７に示すように、上皿１５１が装着される装着面の所定箇所に、その装着面から当該装着された上皿１５１に向かって突出したリブ６６１を備えている。
【０１９１】
また、上皿底面部材６６０は、図２６（ａ），図２７に示すように、その底面に近い側に配線を通す案内樋６６２を備えている。
【０１９２】
前述したように、上皿１５１は、ベットスイッチ３８と球貸しボタン５６と返却ボタン５７と度数表示部５８とを備えており、これらへ接続された各配線が上皿底面部材６６０の案内樋６６２に配設されている。
【０１９３】
上述したように、本実施例の遊技機１によれば、払い出された遊技球を貯留しその遊技球を取込ユニット１５３へ案内する上皿５１を備え、上皿１５１は、その裏面側に装着され、所定の配線（ハーネス等）を収容する上皿底面部材６６０を備え、この上皿底面部材６６０は、上皿１５１が装着される装着面の所定箇所に、その装着面から当該装着された上皿１５１に向かって突出したリブ６６１を備えているので、上皿底面部材６６０と、その上皿底面部材６６０に装着された上皿５１との間に、不正な制御基板などが仕込まれるようなスペースを低減することができ、上皿５１の裏面側に不正な制御基板などを仕込むという不正行為を低減できる。
【０１９４】
また、上皿底面部材６６０は、その底面に近い側に配線を通す案内樋６６２を備えている。つまり、上皿１５１から離れた位置に案内樋６６２を備えているので、上皿１５１の上面側を流下する遊技球からのノイズの影響を低減できる。
【０１９５】
続いて、本実施例の遊技機１のさらなる特徴部分の構成について、図２８も用いて説明する。図２８は、遊技主要ブロック５の正面側左上箇所のロック部材６２７を示す部分斜視図である。
【０１９６】
本実施例の遊技機１は、図４に示すように、外枠２と、この外枠２の前面側に設けられて当該外枠２に対して開閉可能に支持されるドアブロック４と、このドアブロック４の裏面側で当該ドアブロック４に対して開閉可能に支持される遊技主要ブロック５とを備えている。
【０１９７】
ドアブロック４は、図１７に示すように、鉤部１３７ａを有する鉤金具１３７を備えている。遊技主要ブロック５は、図４，図２８に示すように、ドアブロック４の裏面側に、遊技主要ブロック５を閉状態に固定するロック部材６２７を備えている。
【０１９８】
ロック部材６２７は、図２８に示すように、操作を受けることでロック位置と非ロック位置とに変更される操作部６２８と、この操作部６２８の位置変更に伴って進退する係止部６２９とを備え、操作部６２８を非ロック位置にすることで係止部６２９が鉤部１３７ａから外れた後退位置に位置し、係止部６２９の鉤部１３７ａへの係止が解除され、操作部６２８をロック位置にすることで係止部６２９が鉤部１３７ａに入った進出位置に位置し、係止部６２９の鉤部１３７ａへの係止がなされるものである。
【０１９９】
鉤金具１３７は、図１７に示すように、その先端側で遊技主要ブロック５に向かう方向に延出した延出部１３９を備えている。
【０２００】
上述したように、本実施例の遊技機１によれば、遊技主要ブロック５をドアブロック４に対して閉じる際には、ロック部材６２７の操作部６２８を非ロック位置にしてからこの遊技主要ブロック５を閉じる。そして、ロック部材６２７の操作部６２８をロック位置にして当該ロック部材６２７の係止部６２９を鉤部１３７ａに入れて、係止部６２９の鉤部１３７ａへの係止、つまり、ロック部材６２７による遊技主要ブロック５の固定がなされる。仮に、ロック部材６２７の操作部６２８をロック位置としたままで遊技主要ブロック５を閉じようとした場合には、鉤金具１３７の先端側の延出部１３９がロック部材６２７の係止部６２９に当たり、遊技主要ブロック５がそれ以上閉まらないことから、ロック部材６２７によるロックがされていない状態で遊技主要ブロック５が閉状態となることがない。つまり、ドアブロック４の裏面側に遊技主要ブロック５を閉状態に固定する固定具（ロック部材６２７）の固定精度を向上できる。
【０２０１】
続いて、本実施例の遊技機１のさらなる特徴部分の構成について、図２９，図３０も用いて説明する。図２９は、払出ブロック７の分解斜視図である。図３０（ａ）は、払出装置６０８の開閉カバー６７１を閉じた状態を示す一部斜視図であり、図３０（ｂ）は、払出装置６０８の開閉カバー６７１を開いた状態を示す一部斜視図である。
【０２０２】
前述したように本実施例の遊技機１は、図２９，図３０に示すように、遊技主要ブロック５の払出ブロック７は、ドアブロック４と対向する面とは反対側である裏面側に、所定の払出信号に基づいて所定数の遊技球を払い出す払出装置６０８を備えている。
【０２０３】
払出装置６０８は、図２９，図３０（ｂ）に示すように、その所定面に球抜きレバー６７０を備え、この球抜きレバー６７０を球抜き許可位置にすることで当該払出装置６０８から強制的に遊技球が球抜きされ、球抜きレバー６７０を球抜き不許可位置にすることで当該払出装置６０８による強制的な遊技球の球抜きが禁止されるものである。
【０２０４】
さらに、払出装置６０８は、図３０に示すように、球抜きレバー６７０を少なくとも覆う開閉可能な開閉カバー６７１を備えている。
【０２０５】
また、開閉カバー６７１は、図３０に示すように、その閉状態において球抜きレバー６７０を球抜き不許可位置に固定するための固定窓６７２を備えている。
【０２０６】
上述したように、本実施例の遊技機１によれば、遊技主要ブロック５の払出ブロック７は、ドアブロック４と対向する面とは反対側である裏面側に、所定の払出信号に基づいて所定数の遊技球を払い出す払出装置６０８を備え、この払出装置６０８は、その所定面に球抜きレバー６７０を備え、この球抜きレバー６７０を球抜き許可位置にすることで当該払出装置６０８から強制的に遊技球が球抜きされ、球抜きレバー６７０を球抜き不許可位置にすることで当該払出装置６０８による強制的な遊技球の球抜きが禁止されるものであり、さらに、払出装置６０８は、球抜きレバー６７０を少なくとも覆う開閉可能な開閉カバー６７１を備えているので、何らかの部材が球抜きレバー６７０に引っ掛って誤って操作されることを防止でき、球抜きレバー６７０を固定できる。
【０２０７】
また、開閉カバー６７１は、その閉状態において球抜きレバー６７０を球抜き不許可位置に固定するための固定窓６７２を備えているので、開閉カバー６７１で球抜きレバー６７０を覆った状態のままでは球抜きレバー６７０を球抜き不許可位置に固定でき、開閉カバー６７１を開状態にしなければ球抜きレバー６７０を球抜き許可位置にできないことから、何らかの部材が球抜きレバー６７０に引っ掛って球抜き許可位置となることを防止できる。
【０２０８】
続いて、本実施例の遊技機１のさらなる特徴部分の構成について、図３１も用いて説明する。図３１（ａ）は、サブ制御装置５０６のケース台５７２を閉じた状態を示す斜視図であり、図３１（ｂ）は、サブ制御装置５０６のケース台５７２を開いた状態を示す斜視図である。
【０２０９】
前述したように本実施例の遊技機１は、図３１に示すように、遊技に関する所定の制御を行うサブ制御基板５７１（図１３参照）を被包したケースカバー５７３およびケース台５７２と、ケース台５７２が取り付けられる被取付部材６８０とを備え、ケース台５７２は、被取付部材６８０に対して片開き自在に軸支されている。
【０２１０】
つまり、ケース台５７２は、図３１（ａ）に示すように閉じた状態から、図３１（ｂ）に示すように片開き状態にできる。
【０２１１】
上述したように、本実施例の遊技機１によれば、遊技に関する所定の制御を行うサブ制御基板５７１（図１３参照）を被包したケースカバー５７３およびケース台５７２と、ケース台５７２が取り付けられる被取付部材６８０とを備え、ケース台５７２は、被取付部材６８０に対して片開き自在に軸支されているので、ケース台５７２を片開きしてその裏面側あるいは被取付部材６８０を目視確認でき、ケース台５７２と被取付部材６８０との間に、不正な制御基板などが仕込まれることを低減でき、ケース台５７２の裏面側に不正な制御基板などを仕込むという不正行為を低減できる。
【０２１２】
この発明は、上記実施形態に限られることはなく、下記のように変形実施することができる。
【０２１３】
（１）上述した実施例では、弾性部材としてスポンジシール６３５を採用しているが、ゴムやラバーやその他の弾性部材を採用してもよい。
【０２１４】
（２）上述した実施例では、案内通路部材として投入球通路６４０を例に挙げて説明しているが、この投入球通路６４０以外の各種の案内通路を採用してもよい。
【０２１５】
（３）上述した実施例では、制御基板としてドアブロック中継基板６５１を例に挙げて説明しているが、このドアブロック中継基板６５１以外の制御基板（主制御基板５６１やサブ制御基板５７１など）各種の制御基板を採用してもよい。
【０２１６】
（４）上述し実施例では、遊技球使用の回胴遊技機を例に挙げて説明してきたが、パチンコ機やスロットマシンやこれらを融合させた遊技機などに適用可能である。
【産業上の利用可能性】
【０２１７】
以上のように、この発明は、遊技球を使用するパチンコ機、メダルを使用するスロットマシン及び遊技球使用の回胴遊技機などの各種の遊技機に適している。
【符号の説明】
【０２１８】
１  …  遊技機
２  …  外枠（本体枠）
３  …  遊技機本体部（扉部材）
４  …  ドアブロック（扉部材）
５  …  遊技主要ブロック
６３０  …  扉開放検出スイッチ（扉部材開放検出スイッチ）
６３１  …  スイッチ部
６３２  …  侵入阻止部材（侵入阻止手段）
【図１】
2014193277.tif 000003
【図２】
2014193277.tif 000004
【図３】
2014193277.tif 000005
【図４】
2014193277.tif 000006
【図５】
2014193277.tif 000007
【図６】
2014193277.tif 000008
【図７】
2014193277.tif 000009
【図８】
2014193277.tif 000010
【図９】
2014193277.tif 000011
【図１０】
2014193277.tif 000012
【図１１】
2014193277.tif 000013
【図１２】
2014193277.tif 000014
【図１３】
2014193277.tif 000015
【図１４】
2014193277.tif 000016
【図１５】
2014193277.tif 000017
【図１６】
2014193277.tif 000018
【図１７】
2014193277.tif 000019
【図１８】
2014193277.tif 000020
【図１９】
2014193277.tif 000021
【図２０】
2014193277.tif 000022
【図２１】
2014193277.tif 000023
【図２２】
2014193277.tif 000024
【図２３】
2014193277.tif 000025
【図２４】
2014193277.tif 000026
【図２５】
2014193277.tif 000027
【図２６】
2014193277.tif 000028
【図２７】
2014193277.tif 000029
【図２８】
2014193277.tif 000030
【図２９】
2014193277.tif 000031
【図３０】
2014193277.tif 000032
【図３１】
2014193277.tif 000033